(57)【要約】【課題】  ボティブタイプやティーライトタイプ、ディナーキャンドルなどの様々な種類のキャンドルを設置することができ、また、様々なディナーキャンドルの径に対応し、さらに、ホルダー本体が安定し安全性が高められた汎用のキャンドルホルダーを提供する。【解決手段】  本考案は筒形状の側壁部１１と、該側壁部１１の下端を閉じる底部１２とからなり、上部は開口とされ、また、底部１２は肉厚とされ凹陥部１２２が前記底部１２上面に穿設されており、材質はガラス体とされたキャンドルホルダーとする。【選択図】  図１
0003109412.tif 000002
【実用新案登録請求の範囲】
【請求項１】
筒形状の側壁部と、該側壁部の下端を閉じる底部とからなり、上部は開口とされ、また、平坦面とされた内底面に円筒形状の凹陥部が穿設されていることを特徴とするキャンドルホルダー。
【請求項２】
底部を肉厚とし、内底面の中央に凹陥部を有していることを特徴とする請求項１に記載したキャンドルホルダー。
【請求項３】
凹陥部の形状は、凹陥部の下方に行くほど多段階にその径が小さくされていることを特徴とする請求項１又は２に記載したキャンドルホルダー。
【請求項４】
材質をガラス体とし、表面をフロスト加工したことを特徴とする請求項１乃至３の何れかに記載したキャンドルホルダー。
【考案の詳細な説明】
【技術分野】
【０００１】
この本考案は、キャンドルを内部に設置することのできるキャンドルホルダーに関するものである。
【背景技術】
【０００２】
キャンドルの種類には、寸胴型のボティブタイプやティーライトタイプと呼ばれるものや、細長型のディナーキャンドルタイプと呼ばれるものがある。
これらのキャンドルは、キャンドルホルダーやキャンドルスタンドに設置して明かりを楽しむものであり、これらのホルダーやスタンドはキャンドルの種類や大きさによって決まっている。
ボティブタイプやティーライトタイプでは、お椀型のキャンドルホルダーの収納部に設置して装飾効果を高める特許文献１のようなものがある。
また、ディナーキャンドルでは、キャンドルを短筒状の筒に挿入して直立を保持する方式や、突条の固定針にキャンドルの底部を突き刺して直立を保持する方式のキャンドルスタンドがある。
【特許文献１】特開平１１−１６２２５１
【考案の開示】
【考案が解決しようとする課題】
【０００３】
キャンドルホルダーやキャンドルスタンドはキャンドルの種類や大きさによって決まっているため、寸胴型のボティブタイプやティーライトタイプのものと細長型のディナーキャンドルタイプでは、キャンドルホルダーやキャンドルスタンドの使いまわしができず、面倒で且つ不経済であるとの問題点があった。
【０００４】
そして、一般にキャンドルホルダーはその見た目を楽しむためとの固定概念があることから、その装飾に工夫を凝らしたキャンドルホルダーは多々あるが、装飾に工夫を凝らし、且つ、様々な種類のキャンドルを設置することのできる汎用のキャンドルホルダーは無かった。
【０００５】
そこで本考案は、装飾に工夫を凝らして且つ様々な種類のキャンドルを設置することのできる汎用のキャンドルホルダーを提供するものである。
【課題を解決するための手段】
【０００６】
本考案は筒形状の側壁部と、該側壁部の下端を閉じる底部とからなり、上部は開口とされ、また、前記底部の上面となる平坦な内底面に円筒形状の凹陥部が穿設されているキャンドルホルダーである。
これにより、この凹陥部にディナーキャンドルの後瑞部を挿入し嵌合設置することで、ディナーキャンドルの直立状態を保持することができる。
【０００７】
また、底部を肉厚のものとし、底部上面の内底面中央に凹陥部を形成してもよい。
これにより、凹陥部を底部中央に穿設するための厚みを確保することができる。
【０００８】
そして、凹陥部の形状は、凹陥部の下方に行くほど多段階にその径を小さいものとされてもよい。
これにより、それぞれの径に合うディナーキャンドルを直立に固定することができる。
【０００９】
そして材質をガラス体とし、表面にフロスト加工を施すこともある。
これにより、フロスト加工を施せばキャンドルの光を細かく散乱させたり屈折させることができる。フロスト加工を施さない場合は、光が散乱することが無く外部からキャンドルの炎の外形を視認することができる。
【考案の効果】
【００１０】
本考案は筒形状の側壁部と、該側壁部の下端を閉じる底部とからなり、上部は開口とされ、また、前記底部に円筒形状の凹陥部が穿設されているキャンドルホルダーである。
したがって、ボティブタイプやティーライトタイプのキャンドルを底部の内底面に設置することのできる寸胴型のキャンドルホルダーであり、且つ、凹陥部にディナーキャンドルの後瑞部を挿入し嵌合設置することによりディナーキャンドルを直立に固定することができるキャンドルスタンドにもなるキャンドルホルダーを提供することができる。
【００１１】
また、底部を肉厚のものとすることで、凹陥部を穿設するための厚みを確保することができることとなり、設計及び生産を容易とし、又、キャンドルホルダーの重心を下げることができることとなり、キャンドルホルダーが安定し、安全に使用することができる。
【００１２】
そして、凹陥部の形状として、凹陥部の下方に行くほど多段階にその径を小さいものとすれば、様々なキャンドルの径に対応したキャンドルホルダーとして提供することができる。
【００１３】
そして、材質をガラス体とし、表面にフロスト加工を施した場合は、キャンドルの光を間接的な光として柔らかくし、より一層幻想的なものとすることができる。また、フロスト加工を施さない場合は、キャンドルが燃焼によりその長さが短くなった場合でもキャンドルの炎の外形やその揺らぎを楽しむことができる。
【考案を実施するための最良の形態】
【００１４】
本考案は筒形状の側壁部１１と、該側壁部１１の下端を閉じる底部１２とからなり、上部は開口とされ、また、下方に行くほど多段階にその径を小さいものとされる円筒形状の凹陥部１２２が前記底部１２の中央付近に穿設されており、底部１２は肉厚とされ、材質はガラス体とされ、その表面にフロスト加工を施してすりガラス状とするか、又は、フロスト加工を施すことなく表面をクリア状態のままの透明状態としたキャンドルホルダーとするものである。
【実施例１】
【００１５】
本考案に係るキャンドルホルダーは、図１に示すように、中間高さ位置を太くする円筒形状の側壁部１１と、該側壁部１１の下端を閉じる底部１２とからなり、上部は円形に開口とされる。
側壁部１１の外周面は下部に向かってその外径が順次大きくなり、内底面１２１付近の高さ位置でその径は最大となる。そして、外底面に向かってその外径は順次小さくなり、ホルダー本体１０の内径と略等しくなる。
【００１６】
側壁部１１の内周面１１１は一定径の円筒状とされる。該内周面１１１と内底面１２１の継ぎ目は緩やかに曲面が構成され、内周面１１１から内底面１２１へ連続した面が構成される。そして、該内底面１２１は平坦な平面とされ、該内底面１２１の中心に円筒状の凹陥部１２２が穿設される。また、内底面１２１と凹陥部１２２との継ぎ目は緩やかに曲面が構成され、内底面１２１から凹陥部１２２へ連続した面が構成される。
【００１７】
これにより、図２に示すように内底面１２１にボティブタイプのキャンドルを設置する場合の他、このキャンドルホルダーの内底面１２１に、ボティブタイプよりも小型のティーライトタイプのキャンドルを設置することもできる。
また、図３に示すように、この凹陥部１２２にディナーキャンドル９０の後瑞部９０１を挿入し嵌合設置することができる。これにより、ディナーキャンドル９０の直立状態を保持することができる。
【００１８】
したがって、ボティブタイプやティーライトタイプに使用可能な寸胴型のキャンドルホルダーであり、且つ、ディナーキャンドル９０スタンドにもなるキャンドルホルダーを提供することができる。
【００１９】
また、底部１２の厚みを少なくとも１ｃｍ以上の肉厚のものとするとよい。これにより凹陥部１２２を底部１２に穿設するための厚みを確保することができ、設計及び生産が容易となると共に、ホルダー本体１０の重心を下げることでキャンドルホルダーが安定し、安全に使用することができる。
【００２０】
なお、図４に示すように、該凹陥部１２２は多段階として穿設されてもよく、その場合、径の大きな凹陥部の底の平面に、さらにそれよりも径の小さい凹陥部が穿設されることとなる。
これにより、それぞれの径に合うディナーキャンドルを直立に固定することができる。
したがって、様々なキャンドルの径に対応したキャンドルホルダーを提供することができる。
【００２１】
また、ホルダー本体の形状は円筒形に限らず、その断面形状を三角形や星型等の多角形や楕円形等とされる筒体としてもよい。
また、その表面は、フロスト加工を施されることでキャンドルの光を細かく散乱させたり屈折させることができる。
したがって、より一層キャンドルの光を幻想的なものとすることができる。
【００２２】
また、表面にフロスト加工を施すことなく、クリアな状態としても良い。これにより光が散乱することが無く、外部からキャンドルの炎の外形を視認することができる。
したがって、キャンドルが燃焼によりその長さが短くなった場合でもキャンドルの炎の外形やその揺らぎを楽しむことができる。
尚、側壁部の肉厚は内底面の位置から開口位置となる上端までを略一定の厚さとすることもある。
【００２３】
このようなキャンドルホルダーとして、例えば以下の採寸とされるものがあり、図１に示した実施例をもとに説明する。
側壁部１１の外径は開口付近において略５４ｍｍとされ、下部に向かってその外径は大きくなり、内底面１２１付近の高さ位置で最大となりその径は６０ｍｍとされる。そして外底面に向かってその外径は小さくなり、外底面付近では４４ｍｍとされる。
また内径は５０ｍｍとされ、内底面１２１に至るまでその径は同一とされる。
【００２４】
底部１２の厚みは２５ｍｍとされ、内底面１２１に穿設される凹陥部１２２の深さは２０ｍｍとされる。また、該凹陥部１２２の内径は、ディナーキャンドル９０の外径が１１ｍｍとされるのに対し、該キャンドルとの隙間を確保するために１１．５ｍｍとやや大きいものとされる。
【００２５】
なおキャンドルが細い場合はそのまま凹陥部１２２にキャンドルを挿入しても安定して直立を保持することができないが、予め蝋を凹陥部１２２に流し入れてからキャンドルを挿入することで直立を保持することができる。
【図面の簡単な説明】
【００２６】
【図１】本考案に係るキャンドルホルダーの半断面斜視図である。
【図２】本考案に係るキャンドルホルダーの使用状態を示した図とその断面図である。
【図３】本考案に係るキャンドルホルダーの使用状態を示した図とその断面図である。
【図４】本考案に係るキャンドルホルダーの他の実施例を示す半断面図である。
【符号の説明】
【００２７】
１０    ホルダー本体
１１    側壁部
１１１  内周面
１２    底部
１２１  内底面
１２２  凹陥部
９０    ディナーキャンドル
９０１  後瑞部
【図１】
0003109412.tif 000003
【図２】
0003109412.tif 000004
【図３】
0003109412.tif 000005
【図４】
0003109412.tif 000006